(57)【特許請求の範囲】
【請求項１】
携帯端末との無線通信機能を備えた生体試料測定装置であって、
生体データを測定する生体データ測定部と、
所定の通信周波数を用いて前記携帯端末との通信確立を試行するとともに、前記生体データ測定部によって測定された前記生体データを前記携帯端末へ送信する送信部と、
前記携帯端末から返信される、通信が確立されたことを示す通信成功信号と、携帯端末個体識別番号と、を受信する受信部と、
前記受信部において前記通信成功信号を受信した場合の通信が成功した通信周波数と、前記携帯端末個体識別番号とを通信が成功する度に一組の情報に関連付けて通信成功履歴として記憶する記憶部と、
通信確立を試行する通信周波数を前記通信成功履歴中の複数の前記通信が成功した通信周波数から選択する通信周波数選択部と、
を備える生体試料測定装置。
【請求項２】
前記通信周波数選択部は、前記通信成功履歴の中から、時系列的に最新の前記通信周波数から順に遡って前記通信周波数を選択する、
請求項１に記載の生体試料測定装置。
【請求項３】
前記通信周波数選択部は、各携帯端末個体識別番号が関連付けられて記憶された前記通信周波数におけるそれぞれの最新の前記通信周波数の中から前記通信周波数を選択する、
請求項１または２に記載の生体試料測定装置。
【請求項４】
前記通信周波数選択部は、前記通信成功履歴における、前記携帯端末個体識別番号ごとの記憶回数が多い順に、前記通信周波数を選択する、
請求項１から３のいずれか１項に記載の生体試料測定装置。
【請求項５】
前記通信成功履歴の中で、異なる前記携帯端末個体識別番号の前記記憶回数が同数である場合、前記通信周波数選択部は、前記記憶回数が同数である前記携帯端末個体識別番号が関連付けられて記憶された前記通信周波数の中から、時系列的に新しい順に前記通信周波数を選択する、請求項４に記載の生体試料測定装置。
【請求項６】
所望の前記携帯端末個体識別番号を入力可能な個体識別番号入力部をさらに備えている、
請求項１から５のいずれか１項に記載の生体試料測定装置。
【請求項７】
前記通信周波数選択部は、所定の基準周波数を中心に、前記基準周波数からの偏差が増加する順に、前記通信成功信号を前記受信部が受信するまで、または、前記偏差が所定値以上になるまで、繰り返し前記通信周波数を選択する、
請求項１から６のいずれか１項に記載の生体試料測定装置。
【請求項８】
前記偏差は、前記基準周波数に所定の周波数値ずつを加算または引算した値である、
請求項７に記載の生体試料測定装置。
【請求項９】
前記通信周波数選択部は、前記受信部が前記通信成功信号を受信したときに選択した通信周波数を中心に、この通信周波数からの偏差が増加する順に周波数を選択し、前記受信部が前記通信成功信号を受信可能な前記通信周波数の範囲である受信可能周波数帯域を検索する、
請求項７または８に記載の生体試料測定装置。
【請求項１０】
前記送信部が前記生体データを送信したことに対して前記受信部が前記通信成功信号を正常に受信できなかった場合、前記送信部は、送信時における送信電力を最大にして前記生体データの再送信を行う、
請求項１から９のいずれか１項に記載の生体試料測定装置。
【発明の詳細な説明】
【技術分野】
【０００１】
本発明は、微弱な電波を用いて、携帯端末と近距離無線通信を行う生体試料測定装置に関するものであり、より詳細には、生体試料測定装置と携帯端末との間の通信を可能にする通信周波数を決定する技術に関する。
【背景技術】
【０００２】
生体データを測定する生体試料測定装置の一例として、血糖値を測定する血糖値測定装置がある。そして、この血糖値測定装置と、測定した血糖値データを無線通信で取得する携帯端末とからなる無線通信装置が開示されている（例えば、特許文献１参照）。
【０００３】
このような無線通信装置の分野において、通信時の消費電力を下げるために携帯端末が間欠的に受信を行う技術が開示されている（例えば、特許文献２参照）。
ここで、血糖値測定装置は、血糖値を測定するたびに、携帯端末に対し通信を確立して血糖値データを送信している。
【特許文献１】特開２００２−２５１４６１号公報
【特許文献２】特開２００３−２０８６８５号公報
【発明の開示】
【発明が解決しようとする課題】
【０００４】
ところが、通常は血糖値測定装置と携帯端末とは、それぞれ通信可能である周波数に個体差がある。従来技術では、特定多数のうちいずれか一つのまたは特定の一つの携帯端末と通信の確立を図る場合であっても、その都度、最初に基準周波数を用いて通信確立を試行しなければならない。したがって、その都度、通信が確立するまでに時間がかかったり、その間に不要な電波を発信し、他の電子機器へ影響を及ぼしたりするという問題があった。
【０００５】
そこで、本発明は、このような生体試料測定装置と携帯端末との通信において、通信可能な周波数を効率よく検出して通信を可能にする生体試料測定装置を提供することを目的とする。
【課題を解決するための手段】
【０００６】
第１の発明に係る生体試料測定装置は、携帯端末との無線通信機能を有する生体試料測定装置であって、生体データ測定部と、送信部と、受信部と、記憶部と、通信周波数選択部と、を備える。生体データ測定部は生体データを測定する。送信部は、生体データ測定部によって測定された生体データを携帯端末に送信する。受信部は、発信した信号が携帯端末に承認された場合に携帯端末から返信される通信成功信号と、携帯端末が発信する携帯端末個体識別番号と、を受信する。記憶部は、通信成功信号を受信した場合の所定の通信周波数と携帯端末個体識別番号とを関連付けて通信成功履歴として記憶する。通信周波数選択部は、所定の通信周波数を選択し、この通信周波数は、通信成功履歴に記録された通信周波数を優先的に選択する。
【０００７】
ここでは、送信部が用いた通信周波数と、受信部が受信した携帯端末個体識別番号と、を記憶部が通信成功履歴として記憶し、この記憶内容に基づいて、通信周波数選択部が周波数を選択し、この周波数を通信周波数として用いて送信部が通信を試みる。
【０００８】
ここで、生体試料は、例えば、血糖値などである。したがって、当該生体試料測定装置は、血糖値測定装置であってもよい。携帯端末個体識別番号は、個々の携帯端末に固有の個体識別番号（ＩＤ）である。また、通信成功信号とは、一般的にはアクノリッジ信号とも呼ばれ、通信を正常に行うことができたことを示す信号である。すなわち、生体試料測定装置がアクノリッジ信号を受信したならば、通信が確立され、正常にデータ通信できたことを意味する。なお、記憶部は、通信成功履歴のみならず、通信の成功と失敗との双方を履歴として記憶してもよい。また、通信成功履歴は、通信が成功したときの通信周波数とそのときの携帯端末の携帯端末個体識別番号とが一組の情報として記憶されたものであることが望ましい。そして、この情報を通信が成功するたびに時系列順に記憶していくようにしてもよい。
【０００９】
従来の無線通信システムにおいては、通信を成功させるために、通信周波数を所定の基準周波数から所定間隔ずつずらしていき、その都度、通信確立を試みて通信可能な周波数を探索するという手法がある。
【００１０】
しかしながら、特定の生体試料測定装置は特定の携帯端末と通信を図ることが一般的であるにもかかわらず、上記従来の構成では、特定多数の携帯端末のうちいずれか一つの、または、特定の一つの携帯端末との通信の確立を図る場合であっても、その都度、最初に基準周波数を用いて通信確立を試行しなければならない。また、携帯端末の通信周波数には個体差があり、さらに同一の携帯端末であっても、機械的・環境的要因によって通信周波数が変化する。したがって、通信可能な周波数が基準周波数から大きくずれている場合などは、その都度、通信が確立するまでに時間がかかったり、その間に不要な電波を発信し、他の電子機器へ影響を及ぼしたりするという問題があった。
【００１１】
そこで、本発明の生体試料測定装置は、過去に通信に成功した場合の、通信周波数と携帯端末個体識別番号とを通信成功履歴として記憶する手段を有している。そして、この通信成功履歴に基づいて通信を試みる。
【００１２】
このような構成によると、例えば、通信の確立のために最初に用いる通信周波数として、直近に通信が成功した通信周波数を用いたり、または、特定の携帯端末個体識別番号が関連付けられた通信周波数を優先的に用いたりすることなどが可能になる。
【００１３】
上記のように、通信周波数に個体差があることと、特定の携帯端末と通信することが一般的であることとを鑑みた場合に、通信成功履歴の中に記憶された通信周波数を用いて通信を試みることや、特定の携帯端末個体識別番号に関連付けられた通信周波数を用いて通信を試みることは、通信の確立を効率的に行うことを可能にする。すなわち、通信が成功する可能性の高い通信周波数を優先的に選択して通信確立を試みることが可能になる。
【００１４】
したがって、通信成功までの平均所要時間を短縮することや、不要な電波の放出を軽減することが可能となる。
【００１５】
第２の発明に係る生体試料測定装置は、第１の発明に係る生体試料測定装置であって、通信周波数選択部は、通信成功履歴の中から、時系列的に最新の通信周波数から順に遡って通信周波数を選択する。
【００１６】
ここでは、通信周波数選択部は、通信周波数として通信成功履歴の中から時系列的に最新（直近）の通信周波数を最初に選択し、その後、時系列的に過去に遡る順に通信周波数を選択する。
【００１７】
このような構成によると、一般的に携帯端末と生体試料測定装置とは、同一使用者によって一対のシステムとして使用され、頻繁に組み合わせが入れ替わるものではないことから、通信開始時において一般的に通信成功の可能性が最も高い通信周波数を最初に用いて通信確立を試みることが可能となる。
【００１８】
したがって、最初の通信確立の試行による通信成功の確率が高まるため、通信が成功するまでの平均所要時間を短縮することが可能になる。
【００１９】
第３の発明に係る生体試料測定装置は、第１または２の発明に係る生体試料測定装置であって、通信周波数選択手段は、この通信周波数選択部において直前に選択された通信周波数に関連付けられた携帯端末個体識別番号と同一の携帯端末個体識別番号が関連付けられて記憶された通信周波数を選択する。
【００２０】
ここでは、通信周波数選択部が、通信成功履歴の中から、直前に選択した通信周波数の携帯端末個体識別番号と同一の携帯端末個体識別番号が関連付けられた通信周波数を順次選択する。
【００２１】
このような構成によると、例えば、通信周波数選択部が通信成功履歴の中の時系列的に最新の通信周波数を選択し、この選択した通信周波数による通信確立が成功しなかった場合に、通信成功履歴の中から次の通信周波数を選択し、この選択の際に、最新の通信周波数に関連付けられて記憶された携帯端末個体識別番号と同一の携帯端末個体識別番号が関連付けられて記憶されている通信周波数を優先的に選択することが可能になる。すなわち、同一の携帯端末個体識別番号と関連付けられて記憶された通信周波数のみを優先的に用いて通信確立を試みることが可能になる。
【００２２】
また、携帯端末との通信が可能な周波数は、同一の携帯端末との通信であっても、機械的、環境的な変化などに伴って変化する。つまり、同一の携帯端末を使用している可能性は高いが、通信可能な周波数が変化している可能性がある。
【００２３】
したがって、通信成功履歴に記憶された最新の通信周波数によって通信が成功しない場合であっても、同一の携帯端末を用いることが一般的である生体試料測定装置においては、過去の同一の携帯端末で成功した通信履歴に基づいて優先的に通信を行うことで、通信が成功するまでの平均所要時間が短縮され得る。
【００２４】
第４の発明に係る生体試料測定装置は、第１から３の発明のいずれか一つに係る生体試料測定装置であって、通信周波数選択部は、各携帯端末個体識別番号が関連付けられて記憶された通信周波数におけるそれぞれの最新の通信周波数の中から通信周波数を選択する。
【００２５】
ここでは、通信周波数選択部が、通信成功履歴に記憶された各携帯端末個体識別番号における最新の通信周波数の中から通信周波数を選択する。
【００２６】
このような構成によると、当該生体試料測定装置が複数の使用者によって使用される場合などにおいて、すなわち、一つの生体試料測定装置が、特定多数の携帯端末の中のいずれか一つと通信する場合において、使用している携帯端末と同一の携帯端末個体識別番号が関連付けられた通信周波数の中から最新の通信周波数を効率よく選択することが可能になる。
【００２７】
したがって、一つの当該生体試料測定装置に対して特定多数の携帯端末を使用している場合においても、通信の確立を効率的に行うことが可能になる。
【００２８】
第５の発明に係る生体試料測定装置は、第１から４の発明のいずれか一つに係る生体試料測定装置であって、通信周波数選択部は、通信成功履歴における、携帯端末個体識別番号ごとの記憶回数が多い順に、前記通信周波数を選択する。
【００２９】
ここでは、通信周波数選択部が、通信成功回数のより多い携帯端末個体識別番号が関連付けられた通信周波数の中から通信周波数を選択し、通信が成功するまで、通信成功回数の多い携帯端末個体識別番号から少ない携帯端末個体識別番号へと各携帯端末個体識別番号が関連付けられて記憶された通信周波数を順次選択する。
【００３０】
このような構成によると、通信周波数選択部が、当該生体試料測定装置の使用者が過去の使用において使用した携帯端末に対する通信周波数を、個々の携帯端末の通信成功回数（使用頻度）順に選択することが可能になる。例えば、通信成功回数が第１の携帯端末個体識別番号、第２の携帯端末個体識別番号、第３の携帯端末個体識別番号の順に通信成功回数が多いという場合に、まず、第１の携帯端末個体識別番号が関連付けられた通信周波数の中で時系列的に最新の通信周波数を選択し、通信確立の試行を行う。次に、この試行により通信が成功しない場合には、第２の携帯端末個体識別番号が関連付けられた通信周波数の中で時系列的に最新の通信周波数を選択する。同様に、通信が成功しない場合には、第３の携帯端末個体識別番号が関連付けられた通信周波数の中で最新の通信周波数を選択する。
【００３１】
したがって、使用頻度の多い携帯端末に対しての通信の確立が成功する確率が高くなり、その結果、通信が成功するまでの平均所要時間が短縮される。
【００３２】
第６の発明に係る生体試料測定装置は、第５の発明に係る生体試料測定装置であって、通信成功履歴の中で、異なる携帯端末個体識別番号の記憶回数が同数である場合、通信周波数選択部は、この記憶回数が同数である携帯端末個体識別番号が関連付けられて記憶された通信周波数の中から、時系列的に新しい順に通信周波数を選択する。
【００３３】
ここでは、異なる携帯端末個体識別番号の、通信成功履歴に記憶されている回数が同数である場合、これらの携帯端末個体識別番号が関連付けられて記憶された通信周波数の中から時系列的に新しい通信周波数を優先的に選択する。
【００３４】
このような構成によると、携帯端末ごとの通信成功回数を基準に通信周波数を選択する場合において、通信成功回数が同数であっても、それらの中から、より通信が成功する確率の高い通信周波数を選択可能になり、以って、通信が確立するまでの平均所要時間が短縮される。
【００３５】
第７の発明に係る生体試料測定装置は、第１から６の発明のいずれか一つに係る生体試料測定装置であって、所望の携帯端末個体識別番号を入力可能な個体識別番号入力部をさらに備えている。
【００３６】
ここでは、通信相手の携帯端末個体識別番号を入力することが可能な個体識別番号入力部をさらに備える。
このような構成によると、当該生体試料測定装置の使用者が携帯端末個体識別番号を個体識別番号入力部に入力した場合、通信周波数選択部は、通信成功履歴の中から、入力された携帯端末個体識別番号が関連付けられて記憶された通信周波数を優先的に選択することが可能になる。また、例えば、入力した携帯端末個体識別番号が関連付けられて記憶された通信周波数のみを時系列順に新しいほうから順に選択していくことなども可能になる。
【００３７】
したがって、通信する携帯端末の携帯端末個体識別番号が既知である場合は、通信している携帯端末の過去に成功した通信周波数を優先的に用いて通信の確立を試行することが可能になる。これまでに述べたように、通信周波数には個々の携帯端末によって個体差がある。したがって、使用する携帯端末の携帯端末個体識別番号が関連付けられて記憶された通信周波数を選択することで、通信が成功する確率が高くなる。その結果、通信が成功するまでの平均所要時間を短縮することが可能になる。
【００３８】
第８の発明に係る生体試料測定装置は、第１から７のいずれかの発明に係る生体試料測定装置であって、通信成功履歴に基づいて通信周波数を選択して通信成功信号が受信できなかった場合、所定の基準周波数を中心に、基準周波数からの偏差が増加する順に、通信成功信号を受信部が受信するまで、または、偏差が所定値以上になるまで、繰り返し通信周波数を選択する。
【００３９】
ここでは、通信成功履歴に基づいて選択された通信周波数を用いて通信確立を試みても、通信が成功しない場合、まず、予め記憶部に記憶された基準周波数（例えば２．４５ＧＨｚ）を用いて通信確立を試行する。この試行によって通信成功信号が受信されない場合は、基準周波数から偏差が大きくなる順に通信周波数を選択して行き、その都度通信確立を試みる。この過程において、通信成功信号を受信した場合、または、選択された通信周波数が所定の周波数範囲を超えた場合は、前記通信確立の試行を終了する。なお、この過程において通信成功信号を受信した場合の通信周波数を第１最適周波数とする。
【００４０】
このような構成によると、通信成功履歴に基づいて通信確立を試みても通信が成功しない場合でも、通信を成功させるための通信周波数を探索することが可能になる。
【００４１】
したがって、１回以上通信したことのある携帯端末が、環境の違いなどによって通信周波数がずれ、通信成功履歴に基づいても通信が成功しない場合でも、通信を成功させる確率を向上させることが可能になる。
【００４２】
また、新しい携帯端末を使用する場合や、当該生体試料測定装置を初めて使用する場合、あるいは、通信成功履歴に履歴が存在しない場合などにおいても、通信を成功させる確率を向上させることが可能になる。
【００４３】
第９の発明に係る生体試料測定装置は、第８の発明に係る生体試料測定装置であって、所定の偏差は、所定の周波数値ずつ加算または引算した値である。
【００４４】
ここでは、予め記憶部に記憶された基準周波数（Ｆ）に所定の周波数間隔（ΔＦ）ずつを加算または引算した値（Ｆ±ｎ×ΔＦ）（ｎ＝０、１、２、・・・）を通信周波数選択部が選択する。例えば、基準周波数から所定値（例えば１ＭＨｚ）だけずれた周波数（例えば２．４５１ＧＨｚあるいは２．４４９GＨｚ）を用いて通信確立を試みる。以後、同様に所定値ずつ加算された通信周波数が選択され、通信成功信号が受信されるまで、または、基準周波数と通信周波数との偏差が所定の値（例えば１ＧＨｚ）以上になるまで繰り返す。
【００４５】
このような構成によると、予め、通信周波数選択部が選択する通信周波数の数を限定可能であるため、通信確立を試みる時間を一定時間に定めることが可能になる。
したがって、使用者は携帯端末との通信が可能か否かを一定時間以内に認知することが可能になる。
【００４６】
第１０の発明に係る生体試料測定装置は、第８または第９の発明に係る生体試料測定装置であって、通信周波数選択部は、受信部が通信成功信号を受信したときに選択した通信周波数を中心に、この通信周波数からの偏差が増加する順に周波数を選択し、受信部が通信成功信号を受信可能な通信周波数の範囲である受信可能周波数帯域を検索する。
【００４７】
ここでは、履歴情報として記憶されている周波数帯域を使用しても通信成功信号を受信できなかった場合、送受信時におけるさらに最適な周波数帯域を検索することができる。具体的には、上述した第１最適周波数を基準として、周波数帯域が大きくする方向と小さくする方向との交互にかつ段階的に偏差が大きくなるように周波数帯域を制御する。例えば、段階的に大きくする周波数をΔＦとし、段階数（繰り返し数）ｎを１０、検査基準周波数をＢとすると、Ｂ、Ｂ＋１×ΔＦ、Ｂ−１×ΔＦ、Ｂ＋２×ΔＦ、Ｂ−２×ΔＦ、・・・、Ｂ＋１０×ΔＦ、Ｂ−１０×ΔＦと周波数帯域を変えていき、通信成功信号受信の有無を確認する。そして、通信成功信号が受信できる範囲である受信可能周波数帯域を検索している。
【００４８】
なお、受信可能周波数帯域を検査するにあたって、段階数は所定の値に設定してもよいし、受信不可能となった時点で打ち切ってもよい。
これにより、受信可能周波数帯域を選択（例えば、受信可能周波数帯域における周波数の平均値を計算）することにより、上述の第１最適周波数と比べてより最適な周波数帯域に制御することが可能となる。
【００４９】
第１１の発明に係る生体試料測定装置は、第８から１０のいずれか１つの発明に係る生体試料測定装置であって、記憶部は、受信可能周波数帯域における周波数帯域の中心周波数を最適周波数として記憶する。
【００５０】
ここでは、受信可能であった周波数の中から最適な周波数を選択する方法として、受信可能周波数帯域における中心、言い換えれば、受信可能周波数帯域の平均値を算出している。
これにより、容易に最適な周波数を選択することが可能となる。
【００５１】
第１２の発明に係る生体試料測定装置は、第１から１１のいずれか１つの発明に係る生体試料測定装置であって、送信部が生体データを送信したことに対して受信部が通信成功信号を正常に受信できなかった場合、送信部は、送信時における送信電力を最大にして生体データの再送信を行う。
【００５２】
ここでは、通信周波数のずれが原因で通信できなかったわけではないことを確認するために、送信時における同じ周波数帯域の設定のままで送信電力を最大にし、再び送信を行っている。
【００５３】
これにより、周辺環境の妨害電波の放射状況や人体による影響等の原因による偶発的な通信の失敗を回避することが可能となる。
【発明の効果】
【００５４】
本発明の生体試料測定装置によれば、通信が成功する確率が高い通信周波数を優先的に用いて通信の確立を試行することが可能になる。したがって、通信が成功するまでの時間を短縮することや、不要な電波の放出を軽減することが可能となる。
【発明を実施するための最良の形態】
【００５５】
以下に、本発明の生体試料測定装置の実施形態を図面とともに詳細に説明する。
（実施形態１）
（試験片１）
まず、図１および図２を用いて、本実施形態の血糖値測定装置（生体試料測定装置）１０に使用する試験片１の構成および血糖値（生体データ）の測定方法について説明する。
【００５６】
図１および図２に示すように、試験片１は、主に電極２、絶縁基板３、試薬層４、スペーサ５、カバー６、検体供給部７、空気孔８から構成されている。電極２は、３つの電極２ａ・２ｂ・２ｃを備えており、それぞれ絶縁基板３の一方の面上に形成されている。電極２ａと電極２ｂとの間には、グルコースデヒドロゲナーゼ等の酸化還元酵素とメディエータとを含む試薬層４が形成されている。絶縁基板３の電極形成面側には、スペーサ５が貼り合わされている。このスペーサ５には、切り欠き７ａが少なくとも電極２ａと電極２ｂと電極２ｃとに跨った形で形成されている。さらに、スペーサ５の絶縁基板３とは反対側の一面上には、カバー６が貼り合わされている。
【００５７】
このような構成によると、試験片１の一端部１ａには開口部１ｂが形成され、この開口部１ｂを含む検体供給部７が形成される。また、カバー６の切り欠き７ａに重なる部分には空気孔８が設けられている。これにより、試験片１の一端部１ａに形成された検体供給部７の開口部１ｂに血液を点着すると、毛細管現象により検体供給部７に血液が充填される。また、スペーサ５およびカバー６は絶縁基板３よりも短く作られているため、試験片１の検体供給部７の開口が設けられた一端と反対側の端部で電極２が露出している。
【００５８】
血糖値の測定は、まず試験片１を血糖計に挿入し、血糖計が測定可能状態になったことを確認してから、検体供給部７の開口部に血液を点着することにより開始する。点着した血液は、毛細管現象により検体供給部７に充填され、電極２Ａと２Ｃ間に電圧を印加したときに電極間に流れる電流値の変化で充填検知を行う。
【００５９】
次に、検体供給部７に充填された血液を試薬層４と一定時間反応させた後に、電極２Ａを作用極、電極２Ｂをその対極として両電極間に電圧を印加し、酵素反応により電極２Ａ上に生じた還元状態のメディエータを酸化して、グルコース量に依存した電流を検出する。
【００６０】
次に、電極２Ｃを作用極、電極２Ａをその対極として、両電極間に電圧を印加することにより、血液成分の電解酸化反応に基づくＨｃｔ（ヘマトクリット）値に依存した電流を検出する。そして最後に、電流値から換算したグルコース量を、同じく電流値から換算したＨｃｔ値で補正することにより、血糖値の測定が行われる。
【００６１】
（血糖値測定装置１０）
次に、本実施形態の血糖値測定装置１０の構成について図３を用いて説明する。図３は、血糖値測定装置１０の構成を示すブロック図である。なお、図３、および後述の図１１、図１４には、便宜上、携帯端末２３、電波２２および試験片１も図に示した。
【００６２】
血糖値測定装置１０は、試験片１が挿入される試験片挿入部１１と、使用者の血糖値を測定するための測定部（生体データ測定部）１２とを備えている。そして、測定した血糖値情報を使用者に確認させるための表示部１３と、測定した血糖値情報を携帯端末２３へ無線で送信するための送信部１４と、携帯端末２３から送信される携帯端末を識別するための携帯端末ＩＤ（携帯端末個体識別番号）および通信が成功したことを示すアクノリッジ信号（通信成功信号）を無線で受信するための受信部１５とを備えている。また、通信を行う通信周波数を設定するための通信周波数設定部１６と、送信あるいは受信の切り替えを行うための送受信方向切り替え部１７と、各種情報を記憶する記憶部１８と、送受信で用いる通信周波数を選択する通信周波数選択部１９を含む各機能を制御するための制御部２０とを備えている。またさらに、携帯端末２３に電波２２を放射するアンテナ２１を備えている。
【００６３】
試験片挿入部１１には試験片１を挿入するための挿入口１１ａと、挿入された状態時に試験片１の露出された電極２が接触する接触電極１１ｂとが設けられていて、接触電極１１ｂは測定部１２内の電極（以下で接続電極１２ａと記載している）に接続する。
【００６４】
測定部１２には、試験片挿入部１１の接触電極１１ｂに接続する接続電極１２ａと、接続電極１２ａに電圧を印加する基準電圧発生回路１２ｂと、電流値を電圧値に変換する電流−電圧変換回路１２ｃとが設けられている。なお、基準電圧発生回路１２ｂは、例えば、Ｄ／Ａコンバータであり、前述したメディエータの酸化や血液成分の電解酸化反応のために、接触電極１１ｂおよび接続電極１２ａを介して電極２Ａ、電極２Ｂおよび電極２Ｃに電圧を印加する。また、電流−電圧変換回路１２ｃは、例えば、オペアンプと帰還抵抗とを備えた回路であり、前述した血液成分の電解酸化反応に基づくＨｃｔ値に依存した電流を検出するために、帰還抵抗に流れ込む電流値に応じた電圧信号をＡ／Ｄコンバータ等で電圧値に変換および検出し、検出した電圧値を制御部２０に送る。
【００６５】
表示部１３は、例えば液晶モニタであり、測定結果の他に時間情報やメニュー画面などを表示する。
送信部１４は、測定部１２で測定した血糖値情報を含む送信データの符号化処理、誤り検出符号の付加処理、および、通信周波数設定部１６で設定された通信周波数を用いての変調処理を行い、送受信方向切り替え部１７を介して変調信号をアンテナ２１に供給し、アンテナ２１から電波２２として放射する。
【００６６】
受信部１５は、アンテナ２１にて受信された電波（変調信号）が、送受信方向切り替え部１７を介して入力され、この変調信号を通信周波数設定部１６で設定された通信周波数を用いて復調処理する。その後、誤り検出処理および復号化処理を行い、携帯端末ＩＤとアクノリッジ信号とを含む受信データを生成する。
【００６７】
通信周波数設定部１６は、通信周波数選択部１９で選択された通信周波数を送信部１４および受信部１５に設定する。なお、使用する周波数帯域は、例えば、ＩＳＭバンドと呼ばれる医療用に割り当てられた近距離無線の周波数帯域を使用する。
【００６８】
送受信方向切り替え部１７は、例えば切り替えスイッチであり、データの送信あるいは受信のどちらか一方を選択するための切り替えを行う。そして、データを送信する場合は、送信部１４にて生成された変調信号はアンテナ２１に送られ、アンテナ２１は送られた変調信号を電波２２として放射する。一方、携帯端末２３から出力されるデータを受信する場合は、アンテナ２１で受信した変調信号は受信部１５へ送られ、受信データが生成される。
【００６９】
記憶部１８は、例えば不揮発性メモリであり、過去の測定した血糖値情報や、過去の無線通信の成功／失敗履歴、過去の無線通信で成功した通信周波数、携帯端末ＩＤなどが格納される。また、過去に通信が成功した通信周波数は、このときに受信した携帯端末ＩＤと関連付けられて通信成功履歴として記憶されるが、これについては後で詳細に説明する。
【００７０】
制御部２０は、例えばマイコンであり、測定部１２から送られてきた電圧値に応じた血糖値の算出や、表示部１３と送信部１４と受信部１５と通信周波数設定部１６と送受信方向切り替え部１７と記憶部１８との各機能の制御を行う。
【００７１】
制御部２０内に備えられた通信周波数選択部１９では、記憶部１８に記憶されている通信成功履歴の中から通信周波数を選択し、選択した通信周波数を通信周波数設定部１６へ送る。また、通信周波数の具体的な選択方法については、後で詳細に説明する。
【００７２】
（携帯端末２３）
ここで、本実施形態の血糖値測定装置の通信相手である携帯端末２３について説明する。携帯端末２３は、血糖値測定装置１０が測定した血糖値データを保存してグラフ表示したり指数の解析を行ったり、ネットワークを介して血糖値データを医療機関等に転送したりする機能を備えている。また、携帯端末２３は、血糖値測定装置１０からの血糖値情報を受信すると、通信が成功したことを示すアクノリッジ信号と、携帯端末２３を識別するために内部に持っている携帯端末ＩＤとを、血糖値測定装置１０に対して送信する。
【００７３】
＜血糖値測定装置１０と携帯端末２３間の通信＞
次に、図４を用いて血糖値測定装置１０と携帯端末２３間の通信方法について説明する。図４は、血糖値測定装置１０と携帯端末２３間の通信のシーケンス図を示している。
【００７４】
血糖値測定装置１０は、使用者の血糖値の測定処理３０を行った後、その測定した血糖値情報を含む送信データ３１を携帯端末２３に送信するために、所定の送信時間３２（例えば、３秒）の間、送信処理３３を行っており、送信処理３３の中で、送信データ３１を断続的に複数回送信している。ここで送信する送信データ３１とは、血糖値測定装置１０が測定した血糖値、血糖値測定装置１０のシリアル番号、測定日時、および、送信データの誤り検出用データなどである。
【００７５】
また、血糖値測定装置１０は、送信処理３３を行った後、携帯端末２３からの返信データ３４を受信するために所定の受信時間３５（例えば、４秒）だけ受信処理３６を行っている。ここで受信する返信データ３４とは、通信の成功（受信の完了）を通知するためのアクノリッジ信号や、個々の携帯端末２３が固有する携帯端末ＩＤなどである。受信処理３６において、携帯端末２３からの返信データ３４に含まれるアクノリッジ信号を受信できなければ、通信周波数を変更し、再び送信処理３３と受信処理３６を行い、アクノリッジ信号を受信できるまで送受信を繰り返す。
【００７６】
一方、携帯端末２３は、所定の周期（以下、受信周期時間３７と記載する）ごとに血糖値情報を受信するために受信処理３８を行っている。なお、受信周期時間３７は、血糖値測定装置１０の送信時間３２より短い時間周期（例えば、２．５秒）に設定されているため、携帯端末２３の受信処理３８は血糖値測定装置１０の送信時間３２内で必ず１回は実行されることになる。携帯端末２３の受信処理３８において、血糖値測定装置１０が送信した送信データ３１を正常に受信できた場合は、返信データ３４を生成し、送信データ３１を受信してから所定時間経過（以下、返信データ送信周期時間４０）後に送信処理３９の中で、返信データ３４を送信している。
【００７７】
なお、返信データ送信周期時間４０は、血糖値測定装置１０の送信時間３２より長い時間（例えば、３．２秒）が設定されているため、携帯端末２３から返信データ３４が送信された場合、必ず、無線通信機能を有する血糖値測定装置１０の受信処理３６において、返信データ３４を受信できるようになっている。
【００７８】
＜血糖値測定装置１０の通信周波数選択方法＞
次に、本実施形態における血糖値測定装置１０の通信周波数選択部１９が行う通信周波数の選択方法と記憶部１８に記憶される通信成功履歴とについて図５から図１０を用いて説明する。図５、図７、および図８は、本実施形態における血糖値測定装置１０の通信周波数選択部１９が行う通信周波数の選択方法を示すフローチャートである。また、図６は記憶部１８に記憶される通信成功履歴の一例を、図９および図１０は通信周波数探索方法の概念図を、それぞれ示している。
【００７９】
まず、図５において、通信を開始すると、ステップＳ１００では、通信周波数選択部１９が、記憶部１８に通信成功履歴が存在するか否かの確認を行う。ここでいう通信成功履歴とは、過去の通信が成功した際の、通信周波数および携帯端末ＩＤが記憶されたものであり、例えば、図６のようなものである。すなわち、通信が成功すると、その都度、通信周波数に携帯端末ＩＤが関連付けられて一組の情報として記憶する。図６は、ＤＡＴＡ０からＤＡＴＡ１５までの１６回分の履歴を示しており、ＤＡＴＡ０からＤＡＴＡ１５へ向かうにつれて過去の情報となっている。また、一組の情報においては、上からそれぞれ、通信周波数、携帯端末ＩＤを表している。なお、図６に示す数値は一例であり、記憶しておく履歴も１６回分に限るものではない。
【００８０】
そして、ステップＳ１００において通信成功履歴が一つでも存在している場合、つまり、過去一度でも通信が成功している場合はステップＳ１０１へ進み、通信成功履歴が一つも存在していない場合、つまり、過去一度も通信を行っていない、または、通信の確立を試みたが一度も成功していない場合はステップＳ１１５へ進む。例えば、図６の例では通信成功履歴が存在しているため、ステップＳ１０１へ進む。以後、図６に示す通信成功履歴が記憶部１８に記憶されている場合を例として説明する。
【００８１】
続いて、ステップＳ１０１では、通信周波数選択部１９が記憶部１８に記憶されている通信成功履歴の中から直近の通信周波数を選択する。ここでいう直近の通信周波数とは、血糖値測定装置１０と携帯端末２３との間の通信が成功した最新の通信周波数のことであり、例えば図６では、ＤＡＴＡ０が最新のデータであるため、直近の通信周波数は２．４４ＧＨｚとなる。
【００８２】
ステップＳ１０２では、通信周波数選択部１９にて選択した通信周波数の値を通信周波数設定部１６が受け取り、通信周波数設定部１６はその通信周波数の値を送信部１４および受信部１５へ伝える。そして、送信部１４は通信周波数設定部１６で設定された通信周波数を用いて変調処理を行い、受信部１５は通信周波数設定部１６で設定された通信周波数を用いて復調処理を行う。
【００８３】
ステップＳ１０３では、制御部２０が送受信方向切り替え部１７に命令を出し送信方向へ切り替え、送信部１４へ送信命令を送ることで、送信処理３３を行う。送信部１４は送受信方向切り替え部１７を介して変調信号をアンテナ２１に供給し、アンテナ２１から電波２２として放射する。
【００８４】
ステップＳ１０４では、制御部２０が送受信方向切り替え部１７に命令を出し受信方向へ切り替え、受信部１５へ受信命令を送ることで、受信処理３６を行う。
ステップＳ１０５では、受信部１５がアンテナ２１、送受信方向切り替え部１７を介して受信した受信データを解析し、アクノリッジ信号の有無を確認する。受信処理３６において、携帯端末２３からのアクノリッジ信号を受信した場合は通信が成功したと判定しステップＳ１０６へ進み、携帯端末２３からのアクノリッジ信号を受信しなかった場合は通信が失敗したと判定しステップＳ１１６へ移行する。
【００８５】
ステップＳ１１６では、同じ通信周波数のまま、最大の送信電力で送信処理３３を行う。これは、ステップＳ１０３の送信処理３３において通信が失敗した場合に、その通信失敗の要因が周辺環境の妨害電波の放射状況や人体による影響等で偶発的に発生したものであり、通信周波数のずれが発生したことによるものではないことを確認するために行われる。
【００８６】
ステップＳ１１７では、ステップＳ１１６における通信周波数で、送信電力最大設定の通信が成功したか否かの判定を行う。なお、ステップＳ１１７の判定方法は、前述したステップＳ１０５と同じ方法で判定する。そして、通信成功と判定した場合はステップＳ１０６へ進み、通信失敗と判定した場合はステップＳ１０７へ進む。
【００８７】
まず、アクノリッジ信号を受信できなかった場合のステップＳ１０７から説明し、ステップＳ１０６については後述する。
ステップＳ１０７では、通信周波数選択回数ｎの値を２に設定する。通信周波数選択回数ｎは、後のステップＳ１０８およびステップＳ１０９における通信成功履歴から通信周波数を選択する処理に関係する。
【００８８】
ステップＳ１０８では、通信周波数選択部１９が記憶部１８に記憶されている通信成功履歴の中から、前回の通信と同一の携帯端末ＩＤ（フローチャートでは同一ＩＤと記載してある）であり、時系列的にｎ番目に新しい通信成功履歴が存在するか確認を行う。存在する場合はステップＳ１０９へ、存在しない場合はステップＳ１１５へ進む。まず、ｎ＝２の場合、前回の通信とはステップＳ１０１で選択した図６のＤＡＴＡ０を用いた通信であり、前回の通信と同一の携帯端末ＩＤとはＤＡＴＡ０のＩＤ２である。したがって、図６の中で、時系列的に２番目に新しいＩＤ２の通信成功履歴はＤＡＴＡ２であり、通信成功履歴の中に存在するのでステップＳ１０９へ進む。なお、ステップＳ１１５については、後ほど図７において詳細に説明する。
【００８９】
ステップＳ１０９では、通信周波数選択部１９が記憶部１８に記憶されている通信成功履歴の中から、前回の通信と同一の携帯端末ＩＤであり、時系列的にｎ番目に新しい通信成功周波数を通信周波数として選択する。前述した通り、時系列的に２番目に新しいＩＤ２の通信成功履歴はＤＡＴＡ２なので、ここではＤＡＴＡ２の通信成功周波数２．４３ＧＨｚをｎ＝２の場合の通信周波数として選択する。
【００９０】
ステップＳ１１０からステップＳ１１３は、前述のステップＳ１０２からステップＳ１０５とほぼ同じであるが、ステップＳ１１０で設定する通信周波数がステップＳ１０２とは異なる。また、ステップＳ１１３では、アクノリッジ信号を受信したと判定すればステップＳ１０６へ、受信できなかったと判定すればステップＳ１１９へ進む。
【００９１】
ステップＳ１１９では、同じ通信周波数のまま、最大の送信電力で送信処理３３を行う。これは、ステップＳ１１１の送信処理３３において通信が失敗した場合に、その通信失敗の要因が周辺環境の妨害電波の放射状況や人体による影響等で偶発的に発生したものであり、通信周波数のずれが発生したことによるものではないことを確認するために行われる。
【００９２】
ステップＳ１１８では、ステップＳ１１９における通信周波数で、送信電力最大設定の通信が成功したか否かの判定を行う。なお、ステップＳ１１８の判定方法は、前述したステップＳ１０５と同じ方法で判定する。そして、通信成功と判定した場合はステップＳ１０６へ進み、通信失敗と判定した場合はステップＳ１１４へ進む。
【００９３】
ここでは、アクノリッジ信号を受信できなかったものとし、ステップＳ１１４からまず説明する。ステップＳ１０６については後述する。
ステップＳ１１４では、通信周波数選択回数ｎの値に１をプラスし、ステップＳ１０９において通信成功履歴の中から選択する通信周波数を変更する。
【００９４】
続いて、再びステップＳ１０８へ移行し、通信成功履歴の中から、前回の通信と同一の携帯端末ＩＤであり、時系列的にｎ番目に新しい通信成功履歴が存在するか確認を行う。ｎ＝３の場合、前回の通信はＤＡＴＡ２にある通信周波数を用いたので、ＤＡＴＡ２と同一の携帯端末ＩＤで３番目に新しい通信成功履歴はＤＡＴＡ５である。
【００９５】
以後、ステップＳ１０８からステップＳ１１４で説明した処理と同様の処理を繰り返すことで、ｎ番目の履歴がなくなるまでｎの値を増やし、通信周波数を変更しながら通信の確立を試みる。そして、履歴がなくなるまで通信を試みても携帯端末２３からのアクノリッジ信号を確認できなかった場合にはステップＳ１１５へ移行する。本実施形態ではＤＡＴＡ１４が同一の携帯端末ＩＤにおける最後の履歴であり、もし、ＤＡＴＡ１４の通信成功周波数を用いても携帯端末２３からのアクノリッジ信号を確認できなかった場合には、ステップＳ１１５へ移行する。
【００９６】
続いて、アクノリッジ信号を受信した場合のステップＳ１０６の動作について説明する。ステップＳ１０６では、受信した返信データ３４に含まれる携帯端末ＩＤおよび通信周波数を通信成功履歴として記憶部１８へ書き込む。図６の場合、ＤＡＴＡ０へ最新の通信成功履歴を書き込み、その他の履歴については過去方向へシフトする。なお、記憶部の履歴記憶容量の残量が無い場合は最も古い履歴が削除される。
【００９７】
＜通信周波数探索方法＞
次に、ステップＳ１１５の通信周波数探索方法について、図７、図８、図９および図１０を用いて説明する。
【００９８】
ステップＳ１１５の通信周波数探索は、通信成功履歴に通信可能な通信周波数が存在しなかった場合に実行され、通信成功履歴に存在しない新しい通信周波数を探索し、探索した通信周波数を用いて通信を行う。
【００９９】
図７のフローチャートにおいて、まず、ステップＳ２００では、設計通信周波数を最初の通信周波数として選択する。ここで、設計通信周波数（以下、基準周波数と記述する場合がある）とは血糖値測定装置１０と携帯端末２３間で予め取り決めた通信周波数のことで、ＩＳＭバンドと呼ばれる医療用に割り当てられた近距離無線の周波数である。例えば、２．４５ＧＨｚが基準周波数として設定される。
【０１００】
次いで、ステップＳ２０１は図５に示すステップＳ１０２と、ステップＳ２０２は図５に示すステップＳ１０３と、ステップＳ２０３は図５に示すステップＳ１０４と、同様にして、基準周波数を用いて送受信処理を行う（通信確立を試行する）。
【０１０１】
そして、ステップＳ２０４において、図５に示すステップＳ１０５と同様に、携帯端末２３からのアクノリッジ信号を受信した場合は通信が成功したと判定しステップＳ２２１（図８参照）へ進み、携帯端末２３からのアクノリッジ信号を受信しなかった場合は通信が失敗したと判定しステップＳ２１９へ移行する。
【０１０２】
ステップＳ２１９では、同じ通信周波数のまま、最大の送信電力で送信処理３３を行う。これは、ステップＳ２０２の送信処理３３において通信が失敗した場合に、その通信失敗の要因が周辺環境の妨害電波の放射状況や人体による影響等で偶発的に発生したものであり、通信周波数のずれが発生したことによるものではないことを確認するために行われる。
【０１０３】
ステップＳ２２０では、ステップＳ２１９における通信周波数で、送信電力最大設定の通信が成功したか否かの判定を行う。なお、ステップＳ２２０の判定方法は、前述したステップＳ１０５と同じ方法で判定する。そして、通信成功と判定した場合は、ステップＳ２２１へ進み、通信失敗と判定した場合はステップＳ２０５へ進む。
【０１０４】
ステップＳ２０５では、通信周波数探索回数ｋの値を１に設定する。通信周波数探索回数ｋは、後段のステップＳ２０６およびステップＳ２１１において新しい通信周波数を選択する処理に関係する。
【０１０５】
ステップＳ２０６およびステップＳ２１１では、通信周波数の変更を行う。そしてステップＳ２０６からステップＳ２１７のループ処理によって、通信可能な通信周波数の探索を行う。以下、通信可能な通信周波数の探索方法について図９を基に説明する。
【０１０６】
図９において、縦軸は通信成功または通信失敗を、横軸は通信する周波数値をそれぞれ表している。通信可能な通信周波数の探索は、通信周波数選択部１９が設計通信周波数５０を基準とし、所定の周波数幅（±ｋ×ΔＦ）ずつずらした通信周波数を選択する。そして選択された通信周波数を用いて、送信処理３３を行う。この送信処理３３に対する受信処理３６において、アクノリッジ信号の有無を確認することで送信処理３３が成功したかどうかすなわち通信が成功したか否かを判定する。これらの処理が通信周波数を変更しながら（ｋの値を０、１、２、・・・と変更しながら）繰り返し行われる。なお、図９では、ｋ＝１の、第１の通信周波数５２（基準周波数＋１×ΔＦ）および第２の通信周波数５３（基準周波数−１×ΔＦ）での送信処理３３が失敗し、ｋ＝２の、第３の通信周波数５４（基準周波数＋２×ΔＦ）での送信処理３３が成功し、通信可能な通信周波数が探索できたことを示している。また、周波数探索間隔５１であるΔＦは、本実施形態では１０ＭＨｚとしたが、この値に限定するものではない。また、上記の基準周波数や所定の周波数間隔（ΔＦ）は予め記憶部に記憶されている。
【０１０７】
ｋ＝１の場合、第１の通信周波数５２（基準周波数（ここでは２．４５ＧＨｚ）＋１×ΔＦ（ここでは１０ＭＨｚ））を通信周波数に選択し（ステップＳ２０６）、選択した通信周波数の設定を行い（ステップＳ２０７）、次いで送信処理３３を行う（ステップＳ２０８）。そして、送信処理３３に対する受信処理３６を行い（ステップＳ２０９）、送信処理３３が成功したかどうかを判定する（ステップＳ２１０）。この結果、アクノリッジ信号を受信できなかった場合には、ステップＳ２１１に進み通信周波数の探索を続け、アクノリッジ信号を受信できた場合には、ステップＳ２２１に進む。
【０１０８】
次に、ステップＳ２１０において、アクノリッジ信号を受信できなかった場合は、同じくｋ＝１とし、第２の通信周波数５３（基準周波数−１×ΔＦ）を通信周波数として選択し（ステップＳ２１１）、選択した通信周波数の設定を行い（ステップＳ２１２）、次いで送信処理３３を行う（ステップＳ２１３）。そして、送信処理３３に対する受信処理３６を行い（ステップＳ２１４）、送信処理３３が成功したかどうかを判定する（ステップＳ２１５）。この結果、アクノリッジ信号を受信できなかった場合には、ステップＳ２１６に進み通信周波数の探索を続け、アクノリッジ信号を受信できた場合には、ステップＳ２２１に進む。
【０１０９】
次に、ステップＳ２１５においてアクノリッジ信号を受信できなかった場合、ステップＳ２１６では、通信周波数探索回数ｋの値が設定した探索制限回数Ｋ（例えば１０回）の値を越えているかどうかの判定を行う。ここで、予め設定しておいた探索制限回数Ｋの値を越えていない場合、すなわち、通信に失敗したが、規定回数だけ送信処理３３を行っていない場合は、ステップＳ２１７において通信周波数探索回数ｋに１をプラスし、再び、ステップＳ２０６へ戻る。一方、設定しておいた探索制限回数Ｋの値を越えていた場合、すなわち、規定回数だけ通信周波数を変更して送信を行っても通信が成功しなかった場合には、周波数探索処理を終了する。
【０１１０】
ここで、ステップＳ２２１の最適通信周波数探索の方法について図８を用いて詳述する。
ステップＳ２２１１では、第２の通信試行回数ｍの値を１に初期化する。ここで、第２の通信試行回数ｍは、ステップＳ２２１２およびステップＳ２２１４で無線通信する際の通信周波数に関係する。
【０１１１】
ステップＳ２２１２およびステップＳ２２１４では、ステップＳ２０８あるいはステップＳ２１３で通信成功した周波数（第１最適周波数１５６）を基準にして所定の周波数幅（±ｋ×Δｆ）だけ変更して送信処理３３を行う。そして、ステップＳ２２１３およびステップＳ２２１５では、受信処理３６において、ステップＳ２２１２およびステップＳ２２１４の送信処理３３に対するアクノリッジ信号の受信処理を行う。また、Ｓ２２１３およびＳ２２１５では、通信が成功したか否かを記憶部１８に記憶しておく。なお、Δｆは、前述したΔＦより小さな値にし、例えば、５０ｋＨｚとする。
【０１１２】
そして、ステップＳ２２１６において、第２の通信試行回数ｍの値に１を加算する。そして、ステップＳ２２１７において、第２の通信試行回数ｍが予め設定された規定回数（例えば、２回）の値を越えているかどうかの判定を行う。ここで、予め設定しておいた規定回数Ｍの値を越えていない場合、再び、ステップＳ２２１２へ戻る。一方、設定しておいた第２の通信試行回数ｍが規定回数Ｍの値を越えていた場合、ステップＳ２２１２からステップＳ２２１５で成功した周波数（受信可能周波数帯域）の中から最適な周波数（以下、第２最適周波数１６７と示す）を選択する。
【０１１３】
これにより、受信可能周波数帯域より第２最適周波数１６７を選択することにより、上述の第１最適周波数１５６と比べてより最適な周波数帯域に制御することが可能となる。
【０１１４】
以下に、図１０を用いて周波数幅の変更の概略を説明する。
図１０において、検索基準周波数１６０は、ステップＳ２０８あるいはステップＳ２１３で通信成功した周波数（第１最適周波数１５６）に相当し、まず、ｍ＝１の場合、ステップＳ２２１２の第１の通信試行周波数１６１（検索基準周波数６０＋１×Δｆ周波数）で送信処理３３を試みる。そして、ステップＳ２２１３の受信処理３６において、ステップＳ２２１２の送信処理３３が成功したか否かを判定する。なお、図１０では、ｍ＝１、ステップＳ２２１２の第１の通信試行周波数１６１（検索基準周波数６０＋１×Δｆ周波数）で無線通信が成功し、ｍ＝１、ステップＳ２２１４の第２の通信試行周波数１６２（検索基準周波数６０−１×Δｆ周波数）で無線通信が成功し、ｍ＝２、ステップＳ２２１２の第３の通信試行周波数１６３（検索基準周波数６０＋２×Δｆ周波数）で無線通信が成功し、ｍ＝２、ステップＳ２２１４の第４の通信試行周波数１６４（検索基準周波数６０−２×Δｆ周波数）で無線通信が失敗したことを示している。
【０１１５】
ステップＳ２２１８では、ステップＳ２２１４からステップＳ２２１５の無線通信の成功した周波数の範囲、すなわち、受信可能周波数帯域から第２最適周波数１６７を算出する。図１０では、無線通信が成功した周波数の範囲は第２の通信試行周波数１６２から第３の通信試行周波数１６３の範囲であり、その範囲の中心となる周波数を第２最適周波数１６７として算出する。なお、Ｍは、装置の初期設定や、受信部１５および送信部１４などの各部品の性能などを考慮して、通信が成功する周波数の範囲を十分に網羅する値であることが好ましい。
【０１１６】
ステップＳ２０４、ステップＳ２１０、または、ステップＳ２１５において、アクノリッジ信号が受信できた場合に実行されるステップＳ２１８では、通信周波数の探索に成功した場合のみ、すなわち通信に成功した場合は受信した返信データ３４に含まれる携帯端末ＩＤ、および通信周波数を通信成功履歴として記憶部１８に記憶される。
【０１１７】
以上のように、本実施形態においては、記憶部１８に記憶されている通信成功履歴を参照し、まず、直近の通信成功周波数を用いて通信を行い、通信が不可能だった場合は、直近の通信成功周波数と同一の携帯端末ＩＤで関連付けられている通信周波数を、時系列順に現在から過去にさかのぼりながら選択し、選択した通信周波数を用いて通信を行い、それでも通信が不可能な場合は、新しい通信周波数を探索することで、少ないステップで通信可能な通信周波数を設定することができる。
【０１１８】
また、一般的に、携帯端末は一人の使用者が特定の携帯端末を使用するため、同一の携帯端末ＩＤが関連付けられて記憶された通信周波数を時系列的に新しい順に選択することは、通信確立のための所要時間や不要な電波を軽減する上で特に有効である。
【０１１９】
（実施形態２）
次に、本発明の他の実施形態における血糖値測定装置の構成について図１１を用いて説明する。図１１は、本実施形態の無血糖値測定装置の構成を示すブロック図である。なお、図３において実施形態１で説明した構成と同じものについては同じ符号を付し、説明を省略する。
【０１２０】
図１１において、血糖値測定装置６０は、試験片１が挿入される試験片挿入部１１と、使用者の血糖値を測定するための測定部１２と、測定した血糖値情報を使用者に確認させるための表示部１３と、測定した血糖値情報を携帯端末２３へ無線で送信するための送信部１４と、携帯端末２３から送信される携帯端末を識別するための携帯端末ＩＤおよび通信が成功したことを示すアクノリッジ信号を無線で受信するための受信部１５と、送受信で用いる通信周波数を設定するための通信周波数設定部１６と、送信あるいは受信の切り替えを行うための送受信方向切り替え部１７と、各種情報を記憶する記憶部１８と、通信可能な通信周波数を選択する通信周波数選択部６１を含む各機能を制御するための制御部６２と、携帯端末２３に電波２２を放射するアンテナ２１とを備えている。
【０１２１】
また、試験片挿入部１１は、挿入口１１ａと接触電極１１ｂとを含み、測定部１２は、接続電極１２ａと基準電圧発生回路１２ｂと電流−電圧変換回路１２ｃとを含む。
図３に示す第１実施形態の血糖値測定装置と異なる点は、通信周波数選択部６１が行う通信周波数の選択方法である。本実施形態における通信周波数選択部６１では、記憶部１８に記憶されている通信成功履歴から携帯端末ＩＤごとの通信成功回数を求め、求めた通信成功回数に基づいて、通信周波数の選択を行う。
【０１２２】
＜血糖値測定装置６０の通信周波数選択方法＞
次に、本実施形態における通信周波数選択部６１が行う通信周波数の選択方法について図１２および図１３を用いて説明する。図１２は、通信周波数選択部６１が行う通信周波数の選択フローチャートを、図１３は、記憶部１８に記憶されている通信成功履歴から作成された携帯端末ＩＤごとの通信成功回数を示す通信成功テーブルの一例をそれぞれ示している。
【０１２３】
まず、図１２において、通信を開始すると、ステップＳ３００では、図５に示すステップＳ１００と同様に、通信周波数選択部６１が記憶部１８に通信成功履歴が存在するか否かの確認を行う。そして、通信成功履歴が一つでも存在している場合は、ステップＳ３０１へ進み、通信成功履歴が一つも存在していない場合は、ステップＳ３１６へ進む。
【０１２４】
次に、通信成功履歴が一つでも存在している場合に実行されるステップＳ３０１では、記憶部１８に記憶されている通信成功履歴から通信成功テーブルを作成する。ここで、通信成功テーブルとは、例えば、図１３に示すように、図６の通信成功履歴を携帯端末ＩＤごとに通信成功回数と共にまとめたものである。図６では、携帯端末ＩＤ１、ＩＤ２、ＩＤ３が存在しているため、図６の通信成功履歴を携帯端末ＩＤごとにまとめると図１３のようになり、図６ではＤＡＴＡ０からＤＡＴＡ１５まで存在するので図１３における通信成功回数の合計は１６となる。また、図１３における通信成功周波数は、各携帯端末ＩＤで最新の通信成功周波数のみが記憶される。例えば、図６において携帯端末ＩＤ１の最新の通信成功周波数はＤＡＴＡ１の２．４２ＧＨｚであるので、図１３におけるＩＤ１の通信周波数には２．４２ＧＨｚが記憶される。さらに、通信成功履歴を過去にさかのぼって見ていった際に出現する携帯端末ＩＤの時系列的順序も記憶しておく。これは、通信成功回数が同値のものが存在した場合、時系列的に新しい携帯端末ＩＤの通信周波数を優先して選択するためである。図６では、携帯端末ＩＤ２が最新であり、次にＩＤ１、最後がＩＤ３の順となっているため、図１３で示すように、時系列順はＩＤ２、ＩＤ１、ＩＤ３の順で記憶されている。
【０１２５】
ステップＳ３０２では、ステップＳ３０１で作成した通信成功テーブルから通信成功回数が最も多い携帯端末に対する通信周波数を選択する。例えば、図１３の場合では、ＩＤ２が通信成功回数８回で最も多いので、通信周波数としては、ＩＤ２が関連付けられて記憶された通信周波数の中で最新の通信周波数である２．４４ＧＨｚを選択する。
【０１２６】
次いで、ステップＳ３０３は図５に示すステップＳ１０２と、ステップＳ３０４は図５に示すステップＳ１０３と、ステップＳ３０５は図５に示すステップＳ１０４と、同様にして、送受信処理を行う。
【０１２７】
そして、ステップＳ３０６において、図５に示すステップＳ１０５と同様に、携帯端末２３からのアクノリッジ信号を受信した場合は通信が成功したと判定しステップＳ３０７へ進み、携帯端末２３からのアクノリッジ信号を受信しなかった場合は通信が失敗したと判定しステップＳ３１７へ移行する。
【０１２８】
ステップＳ３１７では、同じ通信周波数のまま、最大の送信電力で送信処理３３を行う。これは、ステップＳ３０４の送信処理３３において通信が失敗した場合に、その通信失敗の要因が周辺環境の妨害電波の放射状況や人体による影響等で偶発的に発生したものであり、通信周波数のずれが発生したことによるものではないことを確認するために行われる。
【０１２９】
ステップＳ３１８では、ステップＳ３１７における通信周波数で、送信電力最大設定の通信が成功したか否かの判定を行う。なお、ステップＳ３１８の判定方法は、前述したステップＳ１０５と同じ方法で判定する。そして、通信成功と判定した場合はステップＳ３０７へ進み、通信失敗と判定した場合はステップＳ３０８へ進む。
【０１３０】
ステップＳ３０７は、図５で示すステップＳ１０６と同様であり、受信した返信データ３４に含まれる携帯端末ＩＤ、および通信周波数を通信成功履歴として記憶部１８へ書き込み、通信成功履歴を更新する。
【０１３１】
一方、ステップＳ３０８は、図５に示すステップＳ１０７と同様に、通信周波数選択回数ｎの値を２に設定する。
ステップＳ３０９では、通信成功テーブルの中から、ｎ番目に通信成功回数の多い携帯端末ＩＤが存在するか否かの確認を行う。図１３では、通信成功テーブルに存在する携帯端末ＩＤは３種類なので、ｎ＝４となった場合には、通信成功テーブル内に、通信可能な通信周波数が存在しないと判断し、ステップＳ３１６の通信周波数探索ステップ（Ｓ３１６）へ移る。なお、通信周波数探索ステップ（Ｓ３１６）は図５に示すステップＳ１１５と同様である。
【０１３２】
そして、ｎが４よりも小さい場合は、ステップＳ３１０へ進み、ステップＳ３１０では、通信成功テーブルの中から、ｎ番目に通信成功回数の多い携帯端末ＩＤの通信周波数を選択する。例えば、図１３でｎ＝２の場合、２番目に通信成功回数の多い携帯端末ＩＤはＩＤ１の通信成功回数６回なので、通信周波数としては、ＩＤ１が関連付けられて記憶された通信周波数の中の最新の通信周波数２．４２ＧＨｚを選択する。
【０１３３】
次いで、図５に示すステップＳ１１０と同様に、選択した通信周波数の設定を行い（ステップＳ３１１）、図５に示すステップＳ１１１と同様に、設定された通信周波数で送信処理３３を行い（ステップＳ３１２）、図５に示すステップＳ１１２と同様に、送信処理３３に対する受信処理３６を行い（ステップＳ３１３）、図５に示すステップＳ１１３と同様に、送信処理３３が成功したかどうかを判定する（ステップＳ３１４）。
【０１３４】
ステップＳ３２０では、同じ通信周波数のまま、最大の送信電力で送信処理３３を行う。これは、ステップＳ３１２の送信処理３３において通信が失敗した場合に、その通信失敗の要因が周辺環境の妨害電波の放射状況や人体による影響等で偶発的に発生したものであり、通信周波数のずれが発生したことによるものではないことを確認するために行われる。
【０１３５】
ステップＳ３１９では、ステップＳ３２０における通信周波数で、送信電力最大設定の通信が成功したか否かの判定を行う。なお、ステップＳ３１９の判定方法は、前述したステップＳ１０５と同じ方法で判定する。そして、通信成功と判定した場合はステップＳ３０７へ進み、通信失敗と判定した場合はステップＳ３１５へ進む。
【０１３６】
そして、判定の結果、アクノリッジ信号を受信できなかった場合は通信周波数選択回数ｎの値を１だけプラスし（ステップＳ３１５）、再度、ステップＳ３０９からステップＳ３１４の処理を繰り返す。一方、アクノリッジ信号を受信できた場合はステップＳ３０７へ移り、通信成功履歴を記憶する。
【０１３７】
以上のように、本実施形態においては、まず、記憶部１８に記憶されている通信成功履歴から携帯端末ＩＤごとに通信成功回数をまとめた通信成功テーブルを作成する。そして、作成した通信成功テーブルに基づき、通信成功回数が多い携帯端末ＩＤから順に時系列的に最も現在に近い通信周波数を選択する。この選択された通信周波数によっても通信が不可能な場合は、新しい通信周波数を探索する。
【０１３８】
このようにすると、確実に通信の確立が望めるほか、通信周波数探索（ステップＳ３１６）に移行する以前に通信が確立する可能性が高くなるため、少ないステップで通信可能な通信周波数を設定することができる。したがって、通信確立のために要する平均時間を短縮することが可能になる。
【０１３９】
（実施形態３）
次に、本発明のさらに他の実施形態の血糖値測定装置の構成について、図１４を用いて説明する。図１４は、本実施形態の血糖値測定装置の構成を示すブロック図である。
【０１４０】
図１４において、血糖値測定装置７０は、試験片１が挿入される試験片挿入部１１と、使用者の血糖値を測定するための測定部１２と、測定した血糖値情報を使用者に確認させるための表示部１３と、測定した血糖値情報を携帯端末２３へ無線で送信するための送信部１４と、携帯端末２３から送信される携帯端末を識別するための携帯端末ＩＤおよび通信が成功したことを示すアクノリッジ信号を無線で受信するための受信部１５と、通信を行う通信周波数を設定するための通信周波数設定部１６と、送信あるいは受信の切り替えを行うための送受信方向切り替え部１７と、各種情報を記憶する記憶部１８と、通信可能な通信周波数を選択する通信周波数選択部７１を含む各機能を制御するための制御部７２と、使用者が所望の携帯端末ＩＤを入力指定することが可能なＩＤ入力部（個体識別番号入力部）７３と、携帯端末２３に電波２２を放射するアンテナ２１とを備える。
【０１４１】
また、試験片挿入部１１は、挿入口１１ａと接触電極１１ｂを含み、測定部１２は、接続電極１２ａ、基準電圧発生回路１２ｂと電流−電圧変換回路１２ｃとを含む。
図１４において、図３に示す第１実施形態で説明した構成と同じものについては同じ符号を付し、説明を省略する。図３に示す第１実施形態の血糖値測定装置１０と異なる点は、ＩＤ入力部７３を新たに追加し、通信周波数選択部７１が選択する通信周波数の携帯端末ＩＤを、ＩＤ入力部７３において指定できる点である。つまり通信周波数選択部７１では、記憶部１８に記憶されている通信成功履歴の中で、ＩＤ入力部７３で指定された携帯端末ＩＤを持ち、時系列順に最も現在に近い通信周波数を選択する。
【０１４２】
＜血糖値測定装置７０の通信周波数選択方法＞
次に、本実施形態の血糖値測定装置７０の通信周波数の選択方法について図１５を用いて説明する。図１５は、本実施形態における通信周波数の選択フローチャートを示している。
【０１４３】
まず、図１５において、ステップＳ４００では、ＩＤ入力部７３を介して、通信したい携帯端末の携帯端末ＩＤを入力する。そして、入力された携帯端末ＩＤは、通信周波数選択部７１へ伝えられる。
【０１４４】
続いて、ステップＳ４０１では、入力された携帯端末ＩＤの過去の通信成功履歴が、記憶部１８に存在するかどうかの確認を行う。そして、通信成功履歴が存在している場合は、ステップＳ４０２へ進み、通信成功履歴が一つも存在していない場合は、ステップＳ４０８へ進む。
【０１４５】
次に、通信成功履歴が存在している場合に実行されるステップＳ４０２では、記憶部１８に記憶されている通信成功履歴から、入力された携帯端末ＩＤを持ち、時系列順に最も現在に近い通信周波数を選び出す。なお、記憶部１８に記憶されている通信成功履歴は、第１実施形態と同様であり、例えば、図６のように、通信周波数および携帯端末ＩＤが時系列的に記憶されているものとする。
【０１４６】
次いで、ステップＳ４０３は図５に示すステップＳ１０２と、ステップＳ４０４は図５に示すステップＳ１０３と、ステップＳ４０５は図５に示すステップＳ１０４と、同様にして、送受信処理を行う。
【０１４７】
そして、ステップＳ４０６において、図５に示すステップＳ１０５と同様に、携帯端末２３からのアクノリッジ信号を受信した場合は通信が成功したと判定しステップＳ４０７へ進み、携帯端末２３からのアクノリッジ信号を受信しなかった場合は通信が失敗したと判定しステップＳ４０９へ移行する。
【０１４８】
ステップＳ４０９では、同じ通信周波数のまま、最大の送信電力で送信処理３３を行う。これは、ステップＳ４０４の送信処理３３において通信が失敗した場合に、その通信失敗の要因が周辺環境の妨害電波の放射状況や人体による影響等で偶発的に発生したものであり、通信周波数のずれが発生したことによるものではないことを確認するために行われる。
【０１４９】
ステップＳ４１０では、ステップＳ４０９における通信周波数で、送信電力最大設定の通信が成功したか否かの判定を行う。なお、ステップＳ４１０の判定方法は、前述したステップＳ１０５と同じ方法で判定する。そして、通信成功と判定した場合はステップＳ４０７へ進み、通信失敗と判定した場合はステップＳ４０８へ進む。
【０１５０】
ステップＳ４０７は、図５で示すステップＳ１０６と同様であり、受信した返信データ３４に含まれる携帯端末ＩＤ、および通信周波数を通信成功履歴として記憶部１８に記憶され、通信成功履歴を更新する。
【０１５１】
一方、ステップＳ４０８は、図５に示すステップＳ１１５と同様であり、通信可能な通信周波数の探索を行う。
以上のように、本実施形態においては、記憶部１８に記憶されている通信成功履歴から、ＩＤ入力部７２で指定した携帯端末ＩＤが関連付けられて記憶された通信周波数の中で時系列的に最も現在に近い通信周波数を選択し、選択した通信周波数を用いて通信を行い、それでも通信が不可能な場合は、新しい通信周波数を探索することで、少ないステップで通信可能な通信周波数を設定することができる。
【０１５２】
また、本実施形態は、使用者が指定する携帯端末ＩＤに関連付けられた通信周波数を選択しているので、例えば、一つの血糖値測定装置を、特定の複数の携帯端末のうちいずれか一つの携帯端末との通信に利用していて、この複数の携帯端末のうち、特定の携帯端末に対して通信を開始したい場合などは、この特定の携帯端末との通信成功履歴を優先的に選択することが可能になるため、特に効果的である。
【０１５３】
その他、本発明は上記実施形態に限定されるものではなく、本発明の主旨を逸脱しない範囲において種々の応用が可能である。以下、その他の実施形態を述べる。
［他の実施形態］
（Ａ）
上記実施形態の血糖値測定装置１０では、図５に示すステップＳ１１４において、ｎ＝ｎ＋１とする例を挙げて説明した。しかし、本発明はこれに限定されるものではない。
【０１５４】
例えば、ｎ＝ｎ＋２としてもよい。この場合においても、当然に、同一の携帯端末ＩＤが関連付けられて記憶された通信周波数が選択されるため、通信確立を効率的に行うという上記と同様の効果を得ることができる。
【０１５５】
（Ｂ）
上記実施形態の血糖値測定装置１０では、図５に示すステップＳ１０７〜Ｓ１１４において、同一の携帯端末ＩＤとする例を挙げて説明した。しかし、本発明はこれに限定されるものではない。
例えば、携帯端末ＩＤに関わり無く、時系列順に遡って選択してもよい。
【０１５６】
（Ｃ）
上記実施形態の血糖値測定装置６０では、図１２に示すステップＳ３０２において、通信成功回数が最も多い携帯端末ＩＤに対応した例を挙げて説明した。しかし、本発明はこれに限定されるものではない。
【０１５７】
例えば、それぞれの携帯端末ＩＤが関連付けられて記憶された通信周波数の中の最新の通信周波数の中の任意の一つを選択してもよい。
【０１５８】
（Ｄ）
上記実施形態の血糖値測定装置６０では、図１２に示すステップＳ３０１〜Ｓ３１５において、携帯端末ＩＤごとの最新の通信周波数のみを選択する例を挙げて説明した。しかし、本発明はこれに限定されるものではない。
【０１５９】
例えば、通信成功回数のｎ番目に多い携帯端末ＩＤが関連付けられて記憶されている全ての通信周波数を時系列順に選択した後、ｎ＋１番目に多い携帯端末ＩＤが関連付けられて記憶されている全ての通信周波数を時系列順に選択する構成でもよい。
【０１６０】
（Ｅ）
上記実施形態の血糖値測定装置６０では、図１２に示すステップＳ３０８〜Ｓ３１５において、携帯端末ＩＤごとの最新の通信周波数を全て選択しても通信が成功しなかった場合に通信周波数探索（Ｓ３１６）に移行する例を挙げて説明した。しかし、本発明はこれに限定されるものではない。
【０１６１】
例えば、ｎの最大値を予めｎ＝５と設定しておき、この段階で他の携帯端末ＩＤが選択されていなくても、通信周波数探索に移行するようにしてもよい。
【０１６２】
（Ｆ）
上記実施形態の血糖値測定装置７０では、図１５に示すステップＳ４００〜Ｓ４０８において、ＩＤ入力部に入力された携帯端末ＩＤが関連付けられて記憶された最新の通信周波数のみを選択する例を挙げて説明した。しかし、本発明はこれに限定されるものではない。
【０１６３】
例えば、入力された携帯端末ＩＤが関連付けられて記憶された最新の通信周波数を選択した後、その携帯端末ＩＤが関連付けられて記憶された通信周波数を時系列順に遡って選択してもよい。或いは、最初に時系列順に最新の通信周波数を選択し、その後、ステップＳ４０１へ移行してもよい。
【０１６４】
上記実施形態においては、生体試料測定装置の一例として血糖値測定装置１０、６０又は７０に適用する例を挙げて説明した。しかし、本発明はこれに限定されるものではない。例えば、乳酸、尿酸などを測定する乳酸測定装置や、尿酸測定装置の場合でも良く、そのデータを他の端末等に無線送信するような装置であれば、上記の実施形態に係る血糖値測定装置１０、６０又は７０と同様の効果を得ることができる。
【産業上の利用可能性】
【０１６５】
本発明に係る無線通信機能を有する生体試料測定装置は、通信相手の個体識別番号を通信周波数と関連付けて記憶することから、通信の確立を効率的に行うことができるという効果を奏することため、個々を識別することが可能な個体識別番号を有している装置を通信相手とする通信システム等に対して広く適用可能である。
【図面の簡単な説明】
【０１６６】
【図１】本発明の第１実施形態に係る血糖値測定装置に使用する試験片の外観を示す斜視図。
【図２】図１の内部の構成を示す分解図。
【図３】本発明の第１実施形態に係る血糖値測定装置の構成を示すブロック図。
【図４】図３の血糖値測定装置と携帯端末との間の無線通信のシーケンス図。
【図５】図３の血糖値測定装置による通信周波数の選択フローチャート。
【図６】図３の血糖値測定装置による通信成功履歴の一例を示す説明図。
【図７】図３の血糖値測定装置による通信周波数探索のフローチャート。
【図８】図７のフローチャートにおけるＳ２２１の詳細を示すフローチャート。
【図９】図３の血糖値測定装置による通信周波数探索方法を示す概念図。
【図１０】第２最適周波数の検索方法の概略図。
【図１１】本発明の第２実施形態に係る血糖値測定装置の構成を示すブロック図。
【図１２】図１１の血糖値測定装置による通信周波数の選択フローチャート。
【図１３】図１１の血糖値測定装置による通信成功テーブルの一例を示す説明図。
【図１４】第３実施形態に係る血糖値測定装置の構成を示すブロック図。
【図１５】図１４の血糖値測定装置による通信周波数の選択フローチャート。
【符号の説明】
【０１６７】
１        試験片
２        電極
２ａ      電極
２ｂ      電極
２ｃ      電極
３        絶縁基板
４        試薬層
５        スペーサ
６        カバー
７        検体供給部
８        空気孔
１０      血糖値測定装置（生体試料測定装置）
１１      試験片挿入部
１１ａ    挿入口
１１ｂ    接触電極
１２      測定部（生体データ測定部）
１２ａ    接続電極
１２ｂ    基準電圧発生回路
１２ｃ    電流−電圧変換回路
１３      表示部
１４      送信部
１５      受信部
１６      通信周波数設定部
１７      送受信方向切り替え部
１８      記憶部
１９      通信周波数選択部
２０      制御部
２１      アンテナ
２２      電波
２３      携帯端末
３０      血糖値の測定処理
３１      送信データ
３２      送信時間
３３      送信処理
３４      返信データ
３５      受信時間
３６      受信処理
３７      受信周期時間
３８      受信処理
３９      送信処理
４０      返信データ送信周期時間
５０      設計通信周波数（基準周波数）
５１      周波数探索間隔
５２      第１の通信周波数
５３      第２の通信周波数
５４      第３の通信周波数
６０      血糖値測定装置（生体試料測定装置）
６１      通信周波数選択部
６２      制御部
７０      血糖値測定装置（生体試料測定装置）
７１      通信周波数選択部
７２      制御部
７３      ＩＤ入力部（個体識別番号入力部）
１５６    第１最適周波数
１６０    検索基準周波数
１６１    第１の通信試行周波数
１６２    第２の通信試行周波数
１６３    第３の通信試行周波数
１６４    第４の通信試行周波数
１６７    第２最適周波数
【図１】
0004750179.tif 000002
【図２】
0004750179.tif 000003
【図３】
0004750179.tif 000004
【図４】
0004750179.tif 000005
【図５】
0004750179.tif 000006
【図６】
0004750179.tif 000007
【図７】
0004750179.tif 000008
【図８】
0004750179.tif 000009
【図９】
0004750179.tif 000010
【図１０】
0004750179.tif 000011
【図１１】
0004750179.tif 000012
【図１２】
0004750179.tif 000013
【図１３】
0004750179.tif 000014
【図１４】
0004750179.tif 000015
【図１５】
0004750179.tif 000016